(57)【要約】【課題】廃棄物の処理施設等において、ビン等（ビンおよび／または缶）をシュートからストックヤードに落下させる際に生じる騒音を的確に低減することができるビン等落下騒音低減装置を提供する。【解決手段】ビン落下騒音低減装置２０は、上端がシュート１３の出口１３ａに接続して、高さ方向に伸縮可能な蛇腹構造の案内ダクト（蛇腹ダクト）２１と、その蛇腹ダクト２１の下端に取り付けられて、蛇腹ダクト２１を通過してきたビンを一時的に受け止めるクッション材２３と、ストックヤード１４内のビンの集積高さに応じて、蛇腹ダクト２１を高さ方向に伸縮させるための巻上ワイヤ２２とを備えている。【選択図】図２
2011173675.tif 000002
【特許請求の範囲】
【請求項１】
ビン等（ビンおよび／または缶）をシュートからストックヤードに投入する際に生じる落下騒音を低減させるためのビン等落下騒音低減装置であって、上端が前記シュートの出口に接続して、高さ方向に伸縮可能な案内ダクトと、その案内ダクトの下端に取り付けられて、案内ダクトを通過してきたビン等を一時的に受け止めるクッション材と、前記ストックヤード内のビン等の集積高さに応じて、前記案内ダクトを高さ方向に伸縮させる伸縮機構とを備えていることを特徴とするビン等落下騒音低減装置。
【請求項２】
前記案内ダクトは、蛇腹構造であることを特徴とする請求項１に記載のビン等落下騒音低減装置。
【請求項３】
前記案内ダクトと前記クッション材とは、伸縮性がある部材によって接続されていることを特徴とする請求項１または２に記載のビン等落下騒音低減装置。
【請求項４】
前記クッション材は、斜めに傾斜していることを特徴とする請求項１〜３のいずれかに記載のビン等落下騒音低減装置。
【請求項５】
ストックヤードへのビン等の投入位置を水平面内で変更できるようになっていることを特徴とする請求項１〜４のいずれかに記載のビン等落下騒音低減装置。
【発明の詳細な説明】
【技術分野】
【０００１】
本発明は、廃棄物の処理施設等において、ビン等（ビンおよび／または缶）をシュートからストックヤードに投入する際に生じる落下騒音を低減させるためのビン等落下騒音低減装置に関するものである。
【背景技術】
【０００２】
廃棄物の処理施設等においては、回収されたビンは、例えば特許文献１に記載されているように、色別に選別された後、色毎の受入シュートに入れられ、受入シュートを通過して、ストックヤードに集積される。
【０００３】
図３に、そのような廃棄物の処理施設等におけるビンの処理設備の一例を示す。図３に示すように、回収されたビンは、ビン類受入供給コンベヤ１１によってビン選別コンベヤ１２に搬送され、ビン選別コンベヤ１２で搬送されながら色別に選別される。そして、色毎のシュート１３に入れられ、シュート１３を通過して、ストックヤード１４に投入され、集積される。
【先行技術文献】
【特許文献】
【０００４】
【特許文献１】特許第３３０７１６８号公報
【発明の概要】
【発明が解決しようとする課題】
【０００５】
しかし、シュート１３からビンストックヤード１４に投入される際の投入高さは約４ｍあり、ビンがストックヤード１４へ落下する時にストックヤードコンクリート１４ａへ衝突するため、大きな騒音が発生する。さらに、ビンの投入・集積が継続され、ビンがストックヤードコンクリート１４ａを敷き詰める状態になっても、敷き詰めたビンに新たに投入されたビンが衝突して、大きな騒音が発生する。例えば、その騒音レベルは約１１０ｄＢもある。
【０００６】
このビンの落下騒音は近傍作業者への作業環境を悪化させるばかりでなく、敷地境界線へも到達する状況もあることから、騒音規制基準を達成するために、ストックヤードの配置にも制約を受ける。
【０００７】
この問題は、ビンだけではなく、缶の場合も同様である。
【０００８】
本発明は、上記のような事情に鑑みてなされたものであり、廃棄物の処理施設等において、ビン等（ビンおよび／または缶）をシュートからストックヤードに落下させる際に生じる騒音を的確に低減することができるビン等落下騒音低減装置を提供することを目的としている。
【課題を解決するための手段】
【０００９】
上記課題を解決するために、本発明は以下の特徴を有している。
【００１０】
［１］ビン等（ビンおよび／または缶）をシュートからストックヤードに投入する際に生じる落下騒音を低減させるためのビン等落下騒音低減装置であって、上端が前記シュートの出口に接続して、高さ方向に伸縮可能な案内ダクトと、その案内ダクトの下端に取り付けられて、案内ダクトを通過してきたビン等を一時的に受け止めるクッション材と、前記ストックヤード内のビン等の集積高さに応じて、前記案内ダクトを高さ方向に伸縮させる伸縮機構とを備えていることを特徴とするビン等落下騒音低減装置。
【００１１】
［２］前記案内ダクトは、蛇腹構造であることを特徴とする前記［１］に記載のビン等落下騒音低減装置。
【００１２】
［３］前記案内ダクトと前記クッション材とは、伸縮性がある部材によって接続されていることを特徴とする前記［１］または［２］に記載のビン等落下騒音低減装置。
【００１３】
［４］前記クッション材は、斜めに傾斜していることを特徴とする前記［１］〜［３］のいずれかに記載のビン等落下騒音低減装置。
【００１４】
［５］ストックヤードへのビン等の投入位置を水平面内で変更できるようになっていることを特徴とする前記［１］〜［４］のいずれかに記載のビン等落下騒音低減装置。
【発明の効果】
【００１５】
本発明においては、廃棄物の処理施設等で、ビン等（ビンおよび／または缶）をシュートからストックヤードに落下させる際に生じる騒音を的確に低減することができる。
【図面の簡単な説明】
【００１６】
【図１】本発明の一実施形態におけるビンの処理設備を示す図である。
【図２】本発明の一実施形態におけるビン落下騒音低減装置を示す図である。
【図３】ビンの処理設備の一例を示す図である。
【発明を実施するための形態】
【００１７】
本発明の一実施形態を図面に基づいて説明する。なお、ここは、ビンを対象にして述べる。
【００１８】
図１は、本発明の一実施形態におけるビンの処理設備を示す図である。前述の図３に示したビンの処理設備とほぼ同様であるが、シュート１３の出口にビン落下騒音低減装置２０が設置されている点が異なっている。
【００１９】
すなわち、回収されたビンは、ビン類受入供給コンベヤ１１によってビン選別コンベヤ１２に搬送され、ビン選別コンベヤ１２で搬送されながら色別に選別された後、色毎のシュート１３に入れられ、シュート１３を通過し、さらにビン落下騒音低減装置２０を経由してから、ストックヤード１４に落下し、集積されるようになっている。
【００２０】
図２は、そのビン落下騒音低減装置２０の詳細を示すものである。図２に示すように、ビン落下騒音低減装置２０は、上端がシュート１３の出口１３ａに接続して、高さ方向に伸縮可能な蛇腹構造の案内ダクト（蛇腹ダクト）２１と、ストックヤード１４内のビンの集積高さに応じて、蛇腹ダクト２１を高さ方向に伸縮させるための巻上ワイヤ２２と、蛇腹ダクト２１の下端に接続部材２４、２５によって取り付けられて、蛇腹ダクト２１を通過してきたビンを一時的に受け止めるクッション材２３とを備えている。
【００２１】
そして、ストックヤード１４へのビンの投入開始時に、ストックヤードコンクリート１４ａとクッション材２３の後端部（下端部）２３ａとの間隔ｈを概ね２０ｃｍ程度に狭くしておき、ストックヤード１４内のビンの集積高さが高くなるのに合わせて、最上部のビンとクッション材２３の後端部（下端部）２３ａとの間隔が概ね２０ｃｍ程度となるように、巻上ワイヤ２２によって蛇腹ダクト２１を縮める。
【００２２】
これによって、この実施形態においては、シュート１３を通過したビンが高所からストックヤードコンクリート１４ａやビンの上に直接落下せず、落下前にクッション材２３で一度受け止めることができるとともに、クッション材２３の下端部２３ａからストックヤードコンクリート１４ａや最上部のビンまでの落下距離を常に２０ｃｍ程度に短くすることができるので、ビンの落下騒音のレベルを５０ｄＢ程度に抑えることが可能になる。
【００２３】
なお、蛇腹ダクト２１とクッション材２３とを接続する接続部材２４、２５は、伸縮性を有するものであることが好ましい。接続部材２４、２５に伸縮性がないと、クッション材２３にビンが落下したときに、跳ね返りにより高所からの落下となり、本来の落下騒音低減効果が損なわれる恐れがあるため、接続部材２４、２５に伸縮性を持たせることにより、より静かに落下させることができる。
【００２４】
また、クッション材２３は、図２に示すように、その後端部２３ａに向けて下方に傾斜していることが好ましい。クッション材２３が水平であると、ビンがクッション材２３上に滞留し、後から蛇腹ダクト２１を通過してきたビンと衝突して、本来の騒音低減効果が損なわれる恐れがあるため、クッション材２３を傾斜させることで、クッション材２３上のビンを速やかにストックヤード１４に吐き出すことができる。
【００２５】
そして、この実施形態では、伸縮可能な案内ダクトとして蛇腹構造のものを用いているが、それに限定されるものではなく、例えばテレスコープ構造のものを用いてもよい。
【００２６】
また、ビン落下騒音低減装置２０からストックヤード１４へのビンの投入位置を水平面内で変更できるようにしておけば、ストックヤード１４の全面を効率的に使用できるので、より好ましい。
【００２７】
なお、上記の実施形態では、対象がビンの場合について述べたが、対象が缶の場合や、ビンと缶が混合している場合でも同様にして実施することができる。
【符号の説明】
【００２８】
１１  ビン類受入供給コンベヤ
１２  ビン選別コンベヤ
１３  シュート
１３ａ  シュートの出口
１４  ストックヤード
１４ａ  ストックヤードコンクリート
２０  ビン落下騒音低減装置
２１  案内ダクト（蛇腹ダクト）
２２  巻上ワイヤ
２３  クッション材
２３ａ  クッション材の後端部（下端部）
２４  接続部材
２５  接続部材
【図１】
2011173675.tif 000003
【図２】
2011173675.tif 000004
【図３】
2011173675.tif 000005